(57)【特許請求の範囲】
【請求項１】
夫々異なる色彩の一対の半円形の表示リングの、夫々の内周縁の一端に切欠を形成し、これらの切欠を相互に接合させるようにして表示リングを円環状に成形し、一方、内筒の外端部外周面に半径方向に突出するツクを形成し、このツクを上記切欠に係合させることにより、一対の表示リングを円環状かつ一体に接合してシリンダ錠内筒の外端外周部に装着し、他方、シリンダ錠の外筒前端には、浅いカップ状で底面に内筒の外端面を覗かせる開口と表示リングを覗かせる表示開口とを形成したケースカバーを装着して、シリンダ錠の施解錠時、施解錠の状態に応じて表示リングの何れかが選択的にケースカバーの表示開口から見えるようにしたことを特徴とするシリンダ錠における施解錠表示装置。
【請求項２】
表示リングの内周縁の両端に切欠を形成することにより、一対の表示リングの夫々を同形にしたことを特徴とする請求項１記載のシリンダ錠における施解錠表示装置。
【発明の詳細な説明】
【０００１】
【発明の属する技術分野】
この発明は、キャビネットの引出し、ロッカーの扉又は出入口のドア等に設けられるシリンダ錠の施解錠の状態を、手先で触れることなく或る程度離れた位置から一見してわかるようにしたシリンダ錠における施解錠表示装置の改良に関する。
【０００２】
【従来の技術】
従来のこの種の施解錠表示装置としては、例えば、特開平９−２５７５１号公報に記載されたものを挙げることができる。
【０００３】
同公報に示された一つの施解錠表示装置は、錠前本体に対して１８０°回動可能なシリンダーヘッドを設け、表面と異なる二種類の色で着色した表示板及び該表示板の一部を露出させる開口部を有するケースカバーを順に取付け、シリンダーヘッドの回動に伴って表示板又はケースカバーを回動させることにより、ケースカバーの開口部から見える表示板の色により施錠又は解錠状態を確認できるようにしたものである。
【０００４】
また、別の施解錠表示装置は、鍵孔の周囲を異なる二種類の色で着色したシリンダーヘッドを錠前本体に対して１８０°回動可能に設けるとともに、該シリンダーヘッドの着色部を露出させる開口部を有するケースカバーを外被して錠前本体に取付け、シリンダーヘッドを回動させることにより、ケースカバーの開口部から見える着色部の色により施錠又は解錠状態を確認できるようにしたものである。
【０００５】
【発明が解決しようとする課題】
しかしながら、これらの従来装置においては、施解錠の状態を表示する着色部がシリンダーヘッドの前端面の大きさ以内に限定されるため、小型のシリンダ錠の場合には着色部の面積も小さく、従って、一寸離れた位置からは見えにくかったり、夕方や夜間等薄暗い環境にあっては着色の相違が判別しにくいという問題がある。
【０００６】
また、着色部表面とケースカバーの内面ではお互いに向き合っており、シリンダ錠の長時間の使用による各部のガタの発生によってお互いに接して摩耗が生じ、着色部が剥げて施解錠の確認ができないという事態も想定される。
【０００７】
そこで、この発明に係るシリンダ錠における施解錠表示装置は、着色部の面積の大きさの制限の解消及び、着色部とケースカバーとの間の摩耗による着色部の剥げの発生を防止することを主たる目的として提案されたものである。
【０００８】
【課題を解決するための手段】
上記の目的を達成するため、請求項１に記載の発明は、夫々異なる色彩の一対の半円形の表示リングの、夫々の内周縁の一端に切欠を形成し、これらの切欠を相互に接合させるようにして表示リングを円環状に成形し、一方、内筒の外端部外周面に半径方向に突出するツクを形成し、このツクを上記切欠に係合させることにより、一対の表示リングを円環状かつ一体に接合してシリンダ錠内筒の外端外周部に装着し、他方、シリンダ錠の外筒前端には、浅いカップ状で底面に内筒の外端面を覗かせる開口と表示リングを覗かせる表示開口とを形成したケースカバーを装着して、シリンダ錠の施解錠時、施解錠の状態に応じて表示リングの何れかが選択的にケースカバーの表示開口から見えるようにしたことを特徴とする。
【０００９】
また、請求項２に記載の発明は、請求項１に記載の発明において、表示リングの内周縁の両端に切欠を形成することにより、一対の表示リングの夫々を同形にし、表示リングを製造するための金型を一種類で済ますことができるようにしたことを特徴とする。
【００１０】
【発明の実施の形態】
【００１１】
以下、図面に示す実施例に基いて、この発明について説明する。
図２において符号１０はシリンダ錠が取付けられる取付対象物であるキャビネットの引出し、ロッカーの扉又は出入口のドア等を表わしている。
【００１２】
この発明が実施される錠としては、それがシリンダ錠であればディスクシリンダ錠、ロータリーシリンダ錠、ピンシリンダ錠又はマグネチックタンブラシリンダ錠など任意の種類のものが採用できる。
【００１３】
図示例のシリンダ錠はディスクシリンダ錠であって、鍵が差し込まれる鍵孔１２を有する回動可能な内筒１とその回りに配される固定の外筒２とを備えている。
【００１４】
上記の取付対象物１０に固定される横断面外形が矩形、円形その他任意形状をなす外筒２は、図示例のように回動可能な内筒１を直接保持する外筒であってもよいし、その外筒の回りに直接又はスペーサ筒を介在させた上で固定的に装着させる取付筒であってもよい。
【００１５】
また、図２において符号５は内筒１内に可動に装着され、図示を省略したタンブラばねで付勢されたディスクタンブラを示し、符号６は外筒２の後部に貫通させた状態で差し込まれたデッドボルト自体又はデッドボルトに連係させた連係部材で、図示はしないがそれには内筒１のテイルピースが直接又はカムを介して間接的に連係させてある。
【００１６】
この発明が適用されるシリンダ錠は、施錠状態及び解錠状態における内筒の位置が回動方向に関し角度的に互いにずれるように、すなわち角度位置が異なるようなものとする。
【００１７】
換言すれば、この発明が適用されるシリンダ錠としては、施錠状態及び解錠状態において、鍵（合鍵）が抜き差しされる位置が角度的に例えば９０°、１８０°又は２７０°のようにずれているようなものが採用される。
【００１８】
内筒１の前端部の外周の一端には円弧状のツク１１が形成されており、このツクを円周方向から抱きかかえるようにして一対の半円形の表示リング３ａ、３ｂが装着されている。
【００１９】
表示リング３ａ、３ｂはこれらを組合わせ接合して一体化することにより内筒１の外周に円環が形成される。
【００２０】
一対の表示リング３ａ、３ｂの夫々の内周縁の一端には切欠３１が形成され、この切欠がツク１１に係合して、内筒１が施解錠操作により回動されたとき、そのトルクが表示リングに確実に伝達される。
【００２１】
表示リング３ａ、３ｂの一体化は、表示リングと内筒との接触面及び表示リング同志の接触面を接着剤により接着させてもよいし、又、接触面間にピンを挿入してかしめ付けする等の公知の方法により行われる。
【００２２】
表示リング３ａ、３ｂの材料としては相互に色彩が異なるものが採用される。  例えば、表示リング３ａは青色のプラスチック、表示リング３ｂは赤色のプラスチックから作られるものとする。こうすることにより、後述する施解錠の表示機能が顕著となる。
【００２３】
外筒２の外端面には、シリンダ錠の中心軸と同芯の円形溝２１が形成され、この円形溝２１の外方には四つの矩形状の凹陥部２２が放射状に形成されている。
【００２４】
一方、シリンダ錠の前端に装着されるケースカバー４は、全体の形状が浅いカップ状で、その底面には内筒１の前端面が臨むのに十分な円形の開口４２及び開口４２の外方の一端には扇形状の表示開口４３が形成され、開口端縁には四つの座板４１が放射状に形成されている。
【００２５】
このケースカバー４は、表示リング３ａ、３ｂを一体化して内筒１に装着したあと、内筒を覆うようにして外筒２の前端面に装着される。
【００２６】
このとき、ケースカバー４の開口端縁は前述した外筒の円形溝２１に係合し、座板４１は凹陥部２２に係合して装着される。
【００２７】
この凹陥部２２の開口部には、図５に示すように、ピン状の小突起２３が突設されており、座板４１が凹陥部２２に係合した後、小突起２３に外側から圧力を加え、或いは打撃すると、小突起が潰れて凹陥部２２が塑性変形し、座板４１は外筒端面に固定される。
【００２８】
上記のように構成された施解錠表示装置を備えたシリンダ錠は、ケースカバー４の表示開口４３は表示リング３ａ、３ｂの外面に対向する位置に形成されており、従って、表示リング３ａ、３ｂのうちどちらかの外面が表示開口４３に臨んでいる。
【００２９】
この実施例においては、図３では解錠状態を示し、この時青色の表示リング３ａの端面が表示窓４３を通して見えている。
【００３０】
図３の位置において鍵を鍵孔１２に挿入してから鍵を１８０°回動させて施錠すると図４に示した状態となり、内筒１の回動とともに表示リング３ａ、３ｂも１８０°回動して、赤色の表示リング３ｂの端面が表示窓４３を通して見える。  なお、図３、図４において格子模様は青色を、斑点模様は赤色を示すものとする。
【００３１】
かくして、表示窓４３を通して表示リングの色彩を見ることにより、一見して施解錠の状態を確認することができる。
【００３２】
なお、上記の説明において、表示リング３ａの色彩を青色、表示リング３ｂの色彩を赤色としたが、表示リングの色はこれらの色彩に限定されるものではなく、使用者の好みに応じて適宜色彩を選択できることは勿論である。
【００３３】
請求項２に記載の発明は、表示リング３ａ、３ｂの両端に切欠３１を形成させたものを使用する点において請求項１に記載の発明と相違している。
【００３４】
請求項１に記載の発明においては、表示リング３ａ、３ｂの一端にのみ切欠３１を形成させており、従って製造時これら両者は夫々専用の型を使用する必要がある。
【００３５】
これに対して、請求項２の発明に使用される表示リング３ａ、３ｂは材料の性状が異なるだけで全く同形状であり、従って、一つの型で両者を製造することができるという長所を有している。この場合、両端部に形成された切欠３１のうち片方はツクと係合せず、単に空間部となって用をなさないが、使用上別に問題はない。
【００３６】
【発明の効果】
以上に説明したこの発明に係るシリンダ錠における施解錠表示装置は、施解錠の状態を表示するための表示リングを内筒の外周に装着させたことにより、表示リングの大きさ（外形）に制限がなく、必要に応じて大きくすることができ、特に小型のシリンダ錠に適用することには大きな効果を奏する。
【００３７】
また、一対の半円形の表示リングを夫々色彩の異なった材料から作るようにしたため、仮に表示リング端面とケースカバー内面とがお互いに接触して摩耗が生じても色彩の変化が生ぜず、施解錠の表示機能が失われないので、半永久的に使用できるという効果を奏する。
【図面の簡単な説明】
【図１】  請求項１に記載した発明のシリンダ錠における施解錠表示装置の構成を示す外観斜視図。
【図２】  図１の各部品を組み立てた状態の一部断面平面図。
【図３】  シリンダ錠の正面図で解錠状態を示す。
【図４】  シリンダ錠の正面図で施錠状態を示す。
【図５】  ケースカバーの座板を取付けるための凹陥部の断面図。
【図６】  請求項２に記載した発明における表示リングの斜視図。
【符号の説明】
１   内筒
１１  ツク
２   外筒
３ａ  表示リング
３ｂ  表示リング
３１   切欠
４  ケースカバー
４３  表示開口
【図１】
0004100745.tif 000002
【図２】
0004100745.tif 000003
【図３】
0004100745.tif 000004
【図４】
0004100745.tif 000005
【図５】
0004100745.tif 000006
【図６】
0004100745.tif 000007